(57)【要約】伝送装置（４ａ）は、特定のフレーム構造を持つフレームを伝送する無線回線と、パケットを伝送する無線回線と、を無線回線（１，２）毎に設定する設定部（ＬＡＮマッピング回路：１００ａに相当）と、設定部（１００ａ）で設定した情報（ＬＡＮマッピング情報：１０１ａ）に応じて、フレームと、パケットと、を無線回線（１，２）を使用して伝送する伝送部（ＬＡＮパケット分割回路：２００ａ、Ｅ１フレーム化回路：３００ａ、ＬＡＮパケット再生回路：４００ａ、バッファ回路：５００ａ、セレクタ回路：６００ａ、及び多重分離回路：７００ａに相当）と、を有することを特徴とする。
2009041372.tif 000002
【特許請求の範囲】
【請求項１】
特定のフレーム構造を持つフレームと、パケットと、を複数の無線回線を使用して伝送する伝送装置であって、
前記フレームを伝送する無線回線と、前記パケットを伝送する無線回線と、を前記無線回線毎に設定する設定手段と、
前記設定手段で設定した情報に応じて、前記フレームと、前記パケットと、を前記無線回線を使用して伝送する伝送手段と、
を有することを特徴とする伝送装置。
【請求項２】
前記設定手段は、
前記パケットを伝送する無線回線を設定し、他の無線回線は、前記フレームを伝送する無線回線に設定することを特徴とする請求項１記載の伝送装置。
【請求項３】
前記伝送手段は、
前記設定手段で設定した情報に応じて、前記無線回線を、前記フレームを伝送する無線回線、または、前記パケットを伝送する無線回線に切替える切替手段を有することを特徴とする請求項１または２記載の伝送装置。
【請求項４】
前記切替手段は、
前記フレームを伝送するフレーム伝送手段と、前記パケットを伝送するパケット伝送手段と、に接続しており、
前記切替手段は、
前記設定手段で設定した情報を基に、前記フレームを伝送する無線回線には、前記フレーム伝送手段から伝送されてきた前記フレームを伝送し、前記パケットを伝送する無線回線には、前記パケット伝送手段から伝送されてきた特定のフレーム構造のパケットを伝送することを特徴とする請求項３記載の伝送装置。
【請求項５】
前記パケット伝送手段は、
パケットを複数の分割パケットに分割する分割手段と、
前記分割手段で分割した分割パケットを、フレームに多重化し、特定のフレーム構造のパケットを生成するフレーム化手段と、を有し、
前記特定のフレーム構造のパケットを、前記切替手段に伝送することを特徴とする請求項４記載の伝送装置。
【請求項６】
前記分割手段は、
前記設定手段で設定した情報を基に、前記パケットを伝送する無線回線で使用するチャネルを特定し、該特定したチャネルに、前記分割パケットを振り分け、
前記フレーム化手段は、
前記チャネルに振り分けた分割パケットを、フレームに多重化し、特定のフレーム構造のパケットを生成することを特徴とする請求項５記載の伝送装置。
【請求項７】
前記切替手段は、
前記設定手段で設定した情報を基に、前記フレームを伝送する無線回線から伝送されてきたフレームを、前記フレーム伝送手段に伝送し、前記パケットを伝送する無線回線から伝送されてきた特定のフレーム構造のパケットを、前記パケット伝送手段に伝送することを特徴とする請求項３から６の何れか１項に記載の伝送装置。
【請求項８】
前記パケット伝送手段は、
前記切替手段から伝送されてきた特定のフレーム構造のパケットから分割パケットを抽出し、該抽出した分割パケットを格納する格納手段と、
前記格納手段に格納した分割パケットを基に、パケットを再生する再生手段と、を有することを特徴とする請求項５から７の何れか１項に記載の伝送装置。
【請求項９】
前記格納手段は、
前記分割パケットをチャネル毎に格納し、
前記再生手段は、
前記設定手段で設定した情報を基に、前記パケットを伝送する無線回線で使用するチャネルを特定し、該特定したチャネルに該当する前記分割パケットを、前記格納手段から読み出し、パケットを再生することを特徴とする請求項８記載の伝送装置。
【請求項１０】
前記設定手段は、前記フレームを伝送する無線回線として使用していない無線回線を、前記パケットを伝送する無線回線として設定することを特徴とする請求項１から９の何れか１項に記載の伝送装置。
【請求項１１】
第１の伝送装置と、第２の伝送装置と、が複数の無線回線を介して接続して構成する伝送システムであって、
前記伝送装置は、
特定のフレーム構造を持つフレームを伝送する無線回線と、パケットを伝送する無線回線と、を前記無線回線毎に設定する設定手段と、
前記設定手段で設定した情報に応じて、前記フレームと、前記パケットと、を前記無線回線を使用して伝送する伝送手段と、
を有することを特徴とする伝送システム。
【請求項１２】
前記第１の伝送装置と、前記第２の伝送装置と、の間に、少なくとも１つの中継装置を有し、
前記中継装置は、第１の伝送装置及び前記第２の伝送装置にそれぞれ複数の無線回線を介して接続されており、
前記中継装置は、前記設定手段と、前記伝送手段と、を有することを特徴とする請求項１１記載の伝送システム。
【請求項１３】
特定のフレーム構造を持つフレームと、パケットと、を複数の無線回線を使用して伝送する伝送方法であって、
前記フレームを伝送する無線回線と、前記パケットを伝送する無線回線と、を前記無線回線毎に設定する設定工程と、
前記設定工程で設定した情報に応じて、前記フレームと、前記パケットと、を前記無線回線を使用して伝送する伝送工程と、
を有することを特徴とする伝送方法。
【請求項１４】
前記設定工程は、
前記パケットを伝送する無線回線を設定し、他の無線回線は、前記フレームを伝送する無線回線に設定することを特徴とする請求項１３記載の伝送方法。
【請求項１５】
前記伝送工程は、
前記設定工程で設定した情報に応じて、前記無線回線を、前記フレームを伝送する無線回線、または、前記パケットを伝送する無線回線に切替える切替工程を含むことを特徴とする請求項１３または１４記載の伝送方法。
【請求項１６】
前記伝送工程は、
パケットを複数の分割パケットに分割する分割工程と、
前記分割工程で分割した分割パケットを、フレームに多重化し、特定のフレーム構造のパケットを生成するフレーム化工程と、をさらに含むことを特徴とする請求項１５記載の伝送方法。
【請求項１７】
前記分割工程は、
前記設定工程で設定した情報を基に、前記パケットを伝送する無線回線で使用するチャネルを特定し、該特定したチャネルに、前記分割パケットを振り分け、
前記フレーム化工程は、
前記チャネルに振り分けた分割パケットを、フレームに多重化し、前記特定のフレーム構造のパケットを生成することを特徴とする請求項１６に記載の伝送方法。
【請求項１８】
前記伝送工程は、
前記フレーム化工程で生成された特定のフレーム構造のパケットを、前記切替工程を経て伝送するパケット伝送工程と、
前記切替工程を経て伝送されてきた前記特定のフレーム構造のパケットから分割パケットを抽出し、該抽出した分割パケットを格納する格納工程と、
前記格納工程で格納した分割パケットを基に、パケットを再生する再生工程と、をさらに含むことを特徴とする請求項１６に記載の伝送方法。
【請求項１９】
特定のフレーム構造を持つフレームと、パケットと、を複数の無線回線を使用して伝送する伝送プログラムであって、
前記フレームを伝送する無線回線と、前記パケットを伝送する無線回線と、を前記無線回線毎に設定する設定処理と、
前記設定処理で設定した情報に応じて、前記フレームと、前記パケットと、を前記無線回線を使用して伝送する伝送処理と、
を、コンピュータに実行させる伝送プログラムを記録したコンピュータ読取可能なプログラム記録媒体。
【請求項２０】
前記設定処理は、
前記パケットを伝送する無線回線を設定し、他の無線回線は、前記フレームを伝送する無線回線に設定することを特徴とする請求項１９記載の伝送プログラムを記録したコンピュータ読取可能なプログラム記録媒体。
【発明の詳細な説明】
【技術分野】
【０００１】
本発明は、伝送装置、伝送システム、伝送方法及び伝送プログラムに関し、特に、特定のフレーム構造を持つフレームと、パケットと、を複数の無線回線を使用して伝送することが可能な伝送装置、伝送システム、伝送方法及び伝送プログラムに関するものである。
【背景技術】
【０００２】
Ｅ１信号の伝送に対応可能な既存の伝送装置に対し、ＬＡＮ（Ｌｏｃａｌ  Ａｒｅａ  Ｎｅｔｗｏｒｋ）パケットの伝送機能を新たに追加する場合には、無線フレーム構造に変更を加えたり、ＬＡＮパケット伝送に対応可能な装置を新たに導入したりする必要がある。その結果、Ｅ１信号の伝送に対応可能な既存の伝送装置に対し、ＬＡＮパケットの伝送機能を追加するには、膨大なコストがかかることになる。なお、Ｅ１信号とは、ＩＴＵ−Ｔ  Ｇ．７０４で標準化されているＥ１インタフェース信号のこと示す。また、ＬＡＮパケットとは、ＩＥＥＥ８０２．３で標準化されているインタフェース信号のことを示す。
このため、Ｅ１信号の伝送に対応可能な既存の伝送装置に対し、ＬＡＮパケットの伝送機能を容易に追加することが可能な方法の開発が望まれている。
なお、Ｅ１信号とは無関係に、ＬＡＮパケットを複数の伝送路を用いて伝送する技術について開示する文献が存在する（例えば、特許文献１参照）。
特許文献１に記載された技術は、ストリームデータを、所定単位で分割し、複数の伝送路に振り分ける。その一方で、これらの伝送路に関する情報を伝送路リストとして取得する。そして、分割したストリームデータと、伝送路リストと、を複数の伝送路へ送出する。受信側では、１つの伝送路から取得した伝送路リストを基に、上記分割したストリームデータを再生するものである。以下、図６を参照しながら、特許文献１に開示されている上述した処理動作について説明する。
図６に示す装置は、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）６４に接続している任意の装置（図示せず）に対し、情報を提供する装置である。この装置は、パーソナルコンピュータ５０を含む。パーソナルコンピュータ５０は、ＬＡＮ１０を介してインターネット１１に接続されている。また、パーソナルコンピュータ５０は、ターミナルアダプタ（ＴＡ）６１及び網終端装置（ＮＴ）６２を介して三つの加入者線６３（１），６３（２），６３（３）に接続されている。三つの加入者線６３（１），６３（２），６３（３）は、ＩＳＤＮ６４に接続されている。ＬＡＮインタフェース５１は、インターネット１１からのストリームデータを、ＬＡＮ１０を介して受信する。パケット取得部５２は、ストリームデータからパケット単位でパケットデータを抽出する。パケット振り分け部５３は、パケット単位で抽出したパケットデータを、送出先である三つの加入者線６３（１），６３（２），６３（３）に振り分ける。また、伝送路リスト保持部５４は、加入者線６３（１），６３（２），６３（３）に対応するＩＳＤＮ番号（回線番号）を伝送路リストとして保持しており、その伝送路リストを、伝送路リスト付加部５５（１），５５（２），５５（３）に出力する。伝送路リスト付加部５５（１），５５（２），５５（３）は、パケット振り分け部５３から振り分けられたパケットデータに対し、伝送路リスト保持部５４から取得した伝送路リストを付加し、インタフェース５６（１），５６（２），５６（３）、ＴＡ６１（１），６１（２），６１（３）及びＮＴ６２（１），６２（２），６２（３）を介して、加入者線６３（１），６３（２），６３（３）に送出する。これにより、上記特許文献１に記載の技術は、ストリームデータをパケットデータに分割し、複数の加入者線６３（１），６３（２），６３（３）を用いて伝送することを可能にしている。
しかし、特許文献１の方法では、各伝送路（加入者線）へ送出するパケットデータに、必ず伝送路リストを付加することになる。そして、この伝送路リストの情報量は、パケットデータを送出する伝送路の数が増えるに従って増加する。このため、特許文献１の方法では、パケットデータの中で、本来転送したいデータの占める割合が低下してしまう。その結果、特許文献１の方法では、パケットデータを送出する伝送路の数が増えるほど、伝送路が持つ伝送容量よりも実際のスループットが低下してしまう。即ち、特許文献１の方法では、効率的にパケットデータを送信することができない。
また、ＡＴＭ（Ａｓｙｎｃｈｒｏｎｏｕｓ  Ｔｒａｎｓｆｅｒ  Ｍｏｄｅ）セルをＥ１フレームの各タイムスロットにマッピングし、１マルチフレーム周期で各ＡＴＭセルを順次マッピングして伝送する技術について開示する文献が存在する（例えば、特許文献２参照）。
また、伝送遅延時間が変動する複数系統に信号を分配して送信し、その分配して送信された信号を合成して元の信号に復元することが可能な技術について開示する文献が存在する（例えば、特許文献３参照）。
さらに、次のような技術を開示する文献が存在する（例えば、特許文献４参照）。
１つのデータフレームを各系統の伝送速度に応じて分割し、最大データサイズ以下のパケット長の揃った複数のデータパケットを生成する。生成された複数のデータパケットは、複数の無線チャネル、または、１つの無線チャネルと空間分割多重、または、複数の無線チャネルと空間分割多重を用いて並列送信される。
【特許文献１】特開２０００−２９９７０４号公報
【特許文献２】特開平１０−１７３６５８号公報
【特許文献３】特開２００２−３３５２９７号公報
【特許文献４】ＷＯ２００４／１１４６０９号公報
【発明の開示】
【０００３】
しかしながら、上記特許文献１〜４には、特定のフレーム構造を持つフレームを伝送する無線回線と、パケットを伝送する無線回線と、を無線回線毎に設定し、その設定した情報に応じて、フレームと、パケットと、を複数の無線回線を使用して伝送する点については何ら記載も示唆もしておらず、その必要性についても示唆すらされていない。
また、特許文献１〜４に記載の技術では、パケットを伝送する際に、フレームを伝送する無線回線と、パケットを伝送する無線回線と、の混在比率を動的に変更することができない。
本発明は、上記事情に鑑みてなされたものであり、上述した課題である、パケットを伝送する際に、フレームを伝送する無線回線と、パケットを伝送する無線回線と、の混在比率を動的に変更することが可能な伝送装置、伝送システム、伝送方法及び伝送プログラムを提供することを目的とするものである。
かかる目的を達成するために、本発明は、以下の特徴を有する。
＜伝送装置＞
本発明にかかる伝送装置は、特定のフレーム構造を持つフレームと、パケットと、を複数の無線回線を使用して伝送する伝送装置であって、前記フレームを伝送する無線回線と、前記パケットを伝送する無線回線と、を前記無線回線毎に設定する設定手段と、前記設定手段で設定した情報に応じて、前記フレームと、前記パケットと、を前記無線回線を使用して伝送する伝送手段と、を有することを特徴とする。
＜伝送システム＞
また、本発明にかかる伝送システムは、一対の伝送装置が複数の無線回線を介して接続されて構成される伝送システムであって、前記伝送装置の各々は、特定のフレーム構造を持つフレームを伝送する無線回線と、パケットを伝送する無線回線と、を前記無線回線毎に設定する設定手段と、前記設定手段で設定した情報に応じて、前記フレームと、前記パケットと、を前記無線回線を使用して伝送する伝送手段と、を有することを特徴とする。
＜伝送方法＞
また、本発明にかかる伝送方法は、特定のフレーム構造を持つフレームと、パケットと、を複数の無線回線を使用して伝送する伝送方法であって、前記フレームを伝送する無線回線と、前記パケットを伝送する無線回線と、を前記無線回線毎に設定する設定工程と、前記設定工程で設定した情報に応じて、前記フレームと、前記パケットと、を前記無線回線を使用して伝送する伝送工程と、を有することを特徴とする。
＜伝送プログラム記録媒体＞
また、本発明にかかるコンピュータに読み取り可能な伝送プログラム記録媒体は、特定のフレーム構造を持つフレームと、パケットと、を複数の無線回線を使用して伝送する伝送プログラムが記録された記録媒体であって、前記フレームを伝送する無線回線と、前記パケットを伝送する無線回線と、を前記無線回線毎に設定する設定処理と、前記設定処理で設定した情報に応じて、前記フレームと、前記パケットと、を前記無線回線を使用して伝送する伝送処理と、を、コンピュータに実行させる伝送プログラムが記録されていることを特徴とする。
（発明の効果）
本発明によれば、パケットを伝送する際に、フレームを伝送する無線回線と、パケットを伝送する無線回線と、の混在比率を動的に変更することが可能となる。
【図面の簡単な説明】
【０００４】
図１は、本実施形態の伝送システムのシステム構成例を示す図である。
図２は、ＩＴＵ−Ｔ  Ｇ．７０４で標準化されているＥ１フレームのフォーマットを説明するための図である。
図３は、ＬＡＮ信号（ＬＡＮパケット）の分割方法を説明するための図である。
図４は、分割パケットの再生方法を説明するための図である。
図５は、第３の実施形態の伝送システムのシステム構成例を示す図である。
図６は、本発明と関連する伝送方法を説明するための図である。
【発明を実施するための最良の形態】
【０００５】
以下、図面を参照して、本発明の実施の形態について詳細に説明する。
まず、図１を参照しながら、第１の実施の形態に係る伝送システムの概要について説明する。
本実施形態の伝送システムは、図１に示すように、一対の伝送装置４ａ及び４ｂを含む。換言すると、この伝送システムは、第１の伝送装置４ａと、第２の伝送装置４ｂと、が複数の無線回線１及び２を介して接続されて構成される。
本実施形態の伝送装置４ａは、特定のフレーム構造を持つフレーム（例えば、Ｅ１フレーム）を伝送する無線回線と、パケット（例えば、ＬＡＮパケット）を伝送する無線回線と、を無線回線１及び２毎に設定する設定手段（ＬＡＮマッピング回路１００ａに相当）と、設定手段（１００ａ）で設定した情報（ＬＡＮマッピング情報１０１ａ）に応じて、フレームと、パケットと、を無線回線１及び２を使用して伝送する伝送手段（ＬＡＮパケット分割回路２００ａ、Ｅ１フレーム化回路３００ａ−１及び３００ａ−２、ＬＡＮパケット再生回路４００ａ、バッファ回路５００ａ−１及び５００ａ−２、セレクタ回路６００ａ−１及び６００ａ−２、多重分離回路７００ａ−１，７００ａ−２に相当）と、を有することを特徴とする。また、伝送装置４ｂは、伝送装置４ａと同様に構成される。
これにより、本実施形態の伝送システムは、パケットを伝送する際に、フレームを伝送する無線回線と、パケットを伝送する無線回線と、の混在比率を動的に変更することが可能となる。以下、添付図面を参照しながら、本実施形態の伝送システムについて詳細に説明する。
＜伝送システムのシステム構成＞
まず、図１を参照しながら、本実施形態の伝送システムのシステム構成について説明する。
本実施形態における伝送システムは、図１に示すように、第１の伝送装置４ａと、第２の伝送装置４ｂと、がＥ１回線１及び２を介して接続され構成されている。なお、Ｅ１回線の回線数は、図１に示すように２本（Ｅ１回線１及び２）に限定されるものではなく、３本以上であってもよい。いずれにしても、伝送装置４ａ及び４ｂの間は、複数のＥ１回線で接続することが可能である。なお、Ｅ１回線とは、ＩＴＵ−Ｔ  Ｇ．７０４で標準化されているＥ１インタフェース信号（Ｅ１信号）の伝送に使用する無線回線のことを示す。
本実施形態における伝送装置４ａ（又は４ｂ）は、Ｅ１伝送機器１ａ（又は１ｂ）と、ＬＡＮ伝送機器２ａ（又は２ｂ）と、制御端末機３ａ（又は３ｂ）と、のインタフェース機能を持つ伝送装置である。Ｅ１伝送機器１ａ及び１ｂは、Ｅ１信号を伝送する機能を有する機器である。ＬＡＮ伝送機器２ａ及び２ｂは、ＬＡＮ信号を伝送する機能を有する機器である。制御端末機３ａ及び３ｂは、伝送装置４ａ及び４ｂの無線回線をそれぞれ制御する機能を有する機器である。
＜伝送装置：４ａ，４ｂの内部構成＞
次に、図１を参照しながら、本実施形態の第１及び第２の伝送装置４ａ及び４ｂの内部構成について説明する。なお、本実施形態における第１の伝送装置４ａと、第２の伝送装置４ｂと、の内部構成は、同一であるため、以下の説明では、第１の伝送装置４ａについて説明する。
本実施形態における第１の伝送装置４ａは、ＬＡＮマッピング回路１００ａと、ＬＡＮパケット分割回路２００ａと、複数（ここでは２個）のＥ１フレーム化回路３００ａ−１及び３００ａ−２と、ＬＡＮパケット再生回路４００ａと、複数（ここでは２個）のバッファ回路５００ａ−１及び５００ａ−２と、複数（個々では２個）のセレクタ回路６００ａ−１及び６００ａ−２と、複数（ここでは２個）の多重分離回路７００ａ−１及び７００ａ−２と、を有している。
なお、Ｅ１フレーム化回路３００ａ−１及び３００ａ−２と、バッファ回路５００ａ−１及び５００ａ−２と、セレクタ回路セレクタ回路６００ａ−１及び６００ａ−２と、多重分離回路７００ａ−１及び７００ａ−２と、は、伝送装置４ａ及び４ｂ間で構築するＥ１回線１及び２（以下、チャネルと定義する）と同じ数だけ存在し、上記各構成は、各チャネルと１対１で対応している。図１においては、Ｅ１回線１を使用して伝送するチャネルをチャネル１、Ｅ１回線２を使用して伝送するチャネルをチャネル２とする。なお、図１では、図示していないが、第２の伝送装置４ｂは、第１の伝送装置４ａと同様に構成される。
＜ＬＡＮマッピング回路：１００ａ＞
ＬＡＮマッピング回路１００ａは、制御端末機３ａから無線回線設定信号３１ａを受信した場合に、その無線回線設定信号３１ａを基に、伝送装置４ａ及び４ｂ間で構築されているＥ１回線１及び２の中からＬＡＮ信号の伝送路（ＬＡＮ伝送路）として使用するチャネルを判別する。なお、無線回線設定信号３１ａは、ＬＡＮ伝送路として使用するチャネルを決定するための信号である。ＬＡＮマッピング回路１００ａは、ＬＡＮ伝送路として使用するチャネルを基に、ＬＡＮマッピング情報１０１ａを生成し、該生成したＬＡＮマッピング情報１０１ａを、ＬＡＮパケット分割回路２００ａと、ＬＡＮパケット再生回路４００ａと、セレクタ回路６００ａ−１及び６００ａ−２と、に出力する。なお、ＬＡＮマッピング情報１０１ａは、ＬＡＮ伝送路として使用するチャネルを特定するための情報が含まれている。
＜ＬＡＮパケット分割回路：２００ａ＞
ＬＡＮパケット分割回路２００ａは、ＬＡＮ伝送機器２ａからＬＡＮ信号（ＬＡＮパケット）２１ａを受信した場合に、そのＬＡＮ信号２１ａを１ｂｙｔｅ単位で分割し、分割パケット２０１ａ−１及び２０１ａ−２を生成する。そして、ＬＡＮパケット分割回路２００ａは、ＬＡＮマッピング回路１００ａから受信したＬＡＮマッピング情報１０１ａを基に、ＬＡＮ伝送路として使用するチャネルを特定する。そして、ＬＡＮパケット分割回路２００ａは、そのＬＡＮ伝送路として使用するチャネルの中からチャネル番号の小さい順に、分割パケット２０１ａ−１及び２０１−２を、Ｅ１フレーム化回路３００ａ−１及び３００ａ−２に出力する。
以上のように、ＬＡＮパケット分割回路２００ａは、パケットを複数の分割パケットに分割する分割手段として機能する。
＜Ｅ１フレーム化回路：３００ａ−１，３００−２＞
Ｅ１フレーム化回路３００ａ−１（又は３００ａ−２）は、ＬＡＮパケット分割回路２００ａから分割パケット２０１ａ−１（又は２０１ａ−２）を受信した場合に、その分割パケット２０１ａ−１（又は２０１ａ−２）を、ＩＴＵ−Ｔ  Ｇ．７０４で規定されているＥ１フレームフォーマットのペイロード領域に多重し、Ｅ１フレームを生成する。そして、Ｅ１フレーム化回路３００ａ−１（又は３００ａ−２）は、生成したＥ１フレームを、Ｅ１フレーム信号３０１ａ−１（又は３０１ａ−２）としてセレクタ回路６００ａ−１（又は６００ａ−２）に出力する。なお、Ｅ１フレーム化回路３００ａ−１及び３００ａ−２で生成されるＥ１フレームの先頭は、これらＥ１フレーム化回路３００ａ−１及び３００ａ−２間で一致している。また、分割パケット２０１ａ−１及び２０１ａ−２を、Ｅ１フレームに多重する位置は、これらＥ１フレーム化回路３００ａ−１及び３００ａ−２間で一致している。
以上のように、Ｅ１フレーム化回路３００ａ−１（及び３００ａ−２）は、分割手段で分割された分割パケットを、フレームに多重化し、特定のフレーム構造のパケットを生成するフレーム化手段として機能する。
＜ＬＡＮパケット再生回路：４００ａ＞
ＬＡＮパケット再生回路４００ａは、ＬＡＮマッピング回路１００ａから受信したＬＡＮマッピング情報１０１ａを基に、ＬＡＮ伝送路として使用するチャネルを特定する。そして、ＬＡＮパケット再生回路４００ａは、そのＬＡＮ伝送路として使用するチャネルの中からチャネル番号の小さい順に、バッファ回路５００ａ−１及び５００ａ−２からバッファ読出信号５０１ａ−１及び５０１ａ−２を１ｂｙｔｅ単位で読み出す。そして、ＬＡＮパケット再生回路４００ａは、バッファ回路５００ａ−１及び５００ａ−２から読み出したバッファ読出信号５０１ａ−１及び５０１ａ−２を基に、分割前のＬＡＮ信号（ＬＡＮパケット）を再生し、ＬＡＮ再生信号４０１ａとしてＬＡＮ伝送機器２ａに出力する。
以上のように、ＬＡＮパケット再生回路４００ａは、格納手段に格納した分割パケットを基に、パケットを再生する再生手段として機能する。
＜バッファ回路：５００ａ−１，５００ａ−２＞
バッファ回路５００ａ−１（又は５００ａ−２）は、Ｅ１フレーム構造を持つＬＡＮチャネル信号６０３ａ−１（又は６０３ａ−２）からペイロード領域のデータを抽出し、その抽出したデータを内部バッファ（図示せず）に書き込む。なお、内部バッファに書き込んだデータは、ＬＡＮパケット再生回路４００ａからの取得要求に応じて、バッファ読出信号５０１ａ−１（又は５０１ａ−２）として、ＬＡＮパケット再生回路４００ａに１ｂｙｔｅ単位で出力される。なお、ＬＡＮチャネル信号６０３ａ−１及び６０３ａ−２は、多重分離回路７００ａ−１及び７００ａ−２間でＥ１フレームの同期が取れているため、ＬＡＮチャネル信号６０３ａ−１及び６０３ａ−２からデータを抽出する位置と、内部バッファへの書き込み位置（アドレス）と、が、バッファ回路５００ａ−１及び５００ａ−２間で一致している。
以上のように、バッファ回路５００ａ−１（及び５００ａ−２）は、切替手段から伝送されてきたフレームから分割パケットを抽出し、抽出した分割パケットを格納する格納手段として機能する。
＜セレクタ回路：６００ａ−１，６００ａ−２＞
セレクタ回路６００ａ−１（又は６００ａ−２）は、ＬＡＮマッピング回路１００ａから受信したＬＡＮマッピング情報１０１ａを基に、ＬＡＮ伝送路として使用するチャネルを特定する。セレクタ回路６００ａ−１（又は６００ａ−２）は、そのセレクタ回路６００ａ−１（又は６００ａ−２）に対応するチャネルを、Ｅ１伝送路として使用すると判断した場合は、Ｅ１伝送機器１ａから受信したＥ１入力信号１１ａ−１（又は１１ａ−２）を、多重信号６０１ａ−１（又は６０１ａ−２）として多重分離回路７００ａ−１（又は７００ａ−２）に出力する。また、セレクタ回路６００ａ−１（又は６００ａ−２）は、多重分離回路７００ａ−１（又は７００ａ−２）から受信した分離信号７０２ａ−１（又は７０２ａ−２）を、Ｅ１出力信号６０２ａ−１（又は６０２ａ−２）としてＥ１伝送機器１ａに出力する。
また、セレクタ回路６００ａ−１（又は６００ａ−２）は、そのセレクタ回路６００ａ−１（又は６００ａ−２）に対応するチャネルを、ＬＡＮ伝送路として使用すると判断した場合は、Ｅ１フレーム化回路３００ａ−１（又は３００ａ−２）から受信したＥ１フレーム信号３０１ａ−１（又は３０１ａ−２）を、多重信号６０１ａ−１（又は６０１ａ−２）として多重分離回路７００ａ−１（又は７００ａ−２）に出力する。また、セレクタ回路６００ａ−１（又は６００ａ−２）は、多重分離回路７００ａ−１（又は７００ａ−２）から受信した分離信号７０２ａ−１（又は７０２ａ−２）を、ＬＡＮチャネル信号６０３ａ−１（又は６０３ａ−２）としてバッファ回路５００ａ−１（又は５００ａ−２）に出力する。
以上のように、セレクタ回路６００ａ−１（及び６００ａ−２）は、Ｅ１回線１（無線回線）を、フレームを伝送する無線回線、または、パケットを伝送する無線回線に切替える切替手段として機能する。つまり、セレクタ回路６００ａ−１（及び６００ａ−２）は、フレームを伝送する無線回線に、フレーム伝送手段から伝送されてきたフレームを伝送し、パケットを伝送する無線回線に、パケット伝送手段から伝送されてきた特定のフレーム構造のパケットを伝送する切替手段として機能する。また、セレクタ回路６００ａ−１（及び６００ａ−２）は、フレームを伝送する無線回線から伝送されてきたフレームを、フレーム伝送手段に伝送し、パケットを伝送する無線回線から伝送されてきたフレーム（即ち、特定のフレーム構造のパケット）を、パケット伝送手段に伝送する切替手段として機能する。ここで、フレーム伝送手段は、セレクタ回路６００ａ−１及び６００ａ−２とＥ１伝送機器１ａとの間を結ぶ線路である。また、パケット伝送手段は、セレクタ回路６００ａ−１及び６００ａ−２とＥ１伝送機器１ａとの間を結ぶ線路及び回路である。即ち、ＬＡＮパケット分割回路２００ａ、Ｅ１フレーム化回路３００ａ−１及び３００ａ−２、ＬＡＮパケット再生回路４００ａ、及びバッファ回路５００ａ−１及び５００ａ−２が、パケット伝送手段として機能する。
＜多重分離回路：７００ａ−１，７００ａ−２＞
多重分離回路７００ａ−１（又は７００ａ−２）は、セレクタ回路６００ａ−１（又は６００ａ−２）から受信した多重信号６０１ａ−１（又は６０１ａ−２）を、無線フレームのペイロード領域に多重し、無線送信信号７０１ａ−１（又は７０１ａ−２）としてＥ１回線１（又は２）に出力する。また、多重分離回路７００ａ−１（又は７００ａ−２）は、Ｅ１回線１（又は２）を介して伝送装置４ｂから受信した無線送信信号７０１ｂ−１（又は７０１ｂ−２）のペイロード領域から、伝送装置４ｂの多重分離回路（図示せず）で多重した多重信号を抽出する。そして、多重分離回路７００ａ−１（又は７００ａ−２）は、他の多重分離回路７００ａ−２（又は７００ａ−１）との間でＥ１フレームの同期を取った上で、抽出した多重信号を分離信号７０２ａ−１（又は７０２ａ−２）としてセレクタ回路６００ａ−１（又は６００ａ−２）に出力する。
＜伝送システムにおける処理動作＞
次に、図１を参照しながら、本実施形態の伝送システムにおける一連の処理動作について詳細に説明する。なお、以下の説明では、その理解を容易にするため、伝送装置４ｂの構成要素名の後に、伝送装置４ａの対応する構成要素に付されている参照符号の“ａ”を“ｂ”に置き換えた参照符号を付加する。例えば、伝送装置４ｂのＬＡＮマッピング回路は、“ＬＡＮマッピング回路１００ｂ”と表記される。
まず、伝送装置４ａのＬＡＮマッピング回路１００ａは、制御端末機３ａから無線回線設定信号３１ａを受信した場合に、その無線回線設定信号３１ａを基に、伝送装置４及び４ｂ間で構築しているＥ１回線１及び２の中からＬＡＮ伝送路として使用するチャネルを判別する。そして、ＬＡＮマッピング回路１００ａは、ＬＡＮ伝送路として使用するチャネルを基に、ＬＡＮマッピング情報１０１ａを生成し、その生成したＬＡＮマッピング情報１０１ａを、ＬＡＮパケット分割回路２００ａと、ＬＡＮパケット再生回路４００ａと、セレクタ回路６００ａ−１及び６００ａ−２と、に出力する。
なお、Ｅ１回線１及び２の中からＬＡＮ伝送路として使用するチャネルは、伝送装置４ａ及び４ｂ間で一致させるものとする。即ち、制御端末機３ａ及び３ｂが出力する無線回線設定信号３１ａ及び３１ｂは同一の信号であり、ＬＡＮマッピング回路１００ａ及び１００ｂが出力するＬＡＮマッピング情報１０１ａ及び１０１ｂは同一の情報である。
ＬＡＮパケット分割回路２００ａは、ＬＡＮマッピング回路１００ａからＬＡＮマッピング情報１０１ａを受信した場合に、その受信したＬＡＮマッピング情報１０１ａを基に、ＬＡＮ伝送路として使用するチャネルを特定する。そして、ＬＡＮパケット分割回路２００ａは、ＬＡＮ伝送機器２ａから受信したＬＡＮ信号２１ａを、１ｂｙｔｅ単位に分割し、分割パケット２０１ａ−１及び２０１ａ−２を生成する。そして、ＬＡＮパケット分割回路２００ａは、ＬＡＮ伝送路として使用するチャネルの中からチャネル番号の小さい順に、Ｅ１フレーム化回路（例えば、３００ａ−１及び３００ａ−２）に分割パケット（２０１ａ−１及び２０１ａ−２）を出力する。
Ｅ１フレーム化回路３００ａ−１（又は３００ａ−２）は、ＬＡＮパケット分割回路２００ａから分割パケット２０１ａ−１（又は２０１ａ−２）を受信した場合に、その受信した分割パケット２０１ａ−１（又は２０１ａ−２）を、Ｅ１フレームフォーマットのペイロード領域に多重し、Ｅ１フレームを生成する。この時、Ｅ１フレーム化回路３００ａ−１及び３００ａ−２は、これらのＥ１フレーム化回路３００ａ−１及び３００ａ−２間でＥ１フレームの先頭を一致させた上でＥ１フレームを生成する。そして、Ｅ１フレーム化回路３００ａ−１（又は３００ａ−２）は、生成したＥ１フレームを、Ｅ１フレーム信号３０１ａ−１（又は３０１ａ−２）としてセレクタ回路６００ａ−１（又は６００ａ−２）に出力する。
セレクタ回路６００ａ−１（又は６００ａ−２）は、ＬＡＮマッピング回路１００ａからＬＡＮマッピング情報１０１ａを受信した場合に、その受信したＬＡＮマッピング情報１０１ａを基に、ＬＡＮ伝送路として使用するチャネルを特定する。そして、セレクタ回路６００ａ−１（又は６００ａ−２）は、上記特定したチャネルを基に、Ｅ１伝送機器１ａから受信したＥ１入力信号１１ａ−１（又は１１ａ−２）、または、Ｅ１フレーム化回路３０１ａ−１（又は３０１ａ−２）から受信したＥ１フレーム信号３０１ａ−１（又は３０１ａ−２）の何れかの信号を選択し、該選択した信号を、多重信号６０１ａ−１（又は６０１ａ−２）として多重分離回路７００ａ−１（７００ａ−２）に出力する。
例えば、セレクタ回路６００ａ−１（又は６００ａ−２）は、上記特定したチャネルを基に、そのセレクタ回路６００ａ−１（又は６００ａ−２）を、Ｅ１伝送路として使用すると判断した場合は、Ｅ１伝送機器１ａから受信したＥ１入力信号１１ａ−１（又は１１ａ−２）を、多重信号６０１ａ−１（又は６０１ａ−２）として多重分離回路７００ａ−１（又は７００ａ−２）に出力する。また、セレクタ回路６００ａ−１（又は６００ａ−２）は、そのセレクタ回路６００ａ−１（又は６００ａ−２）を、ＬＡＮ伝送路として使用すると判断した場合は、Ｅ１フレーム化回路３００ａ−１（又は３００ａ−２）から受信したＥ１フレーム信号３０１ａ−１（又は３００ａ−２）を、多重信号６０１ａ−１（又は６０１ａ−２）として多重分離回路７００ａ−１（７００ａ−２）に出力する。
多重分離回路７００ａ−１（又は７００ａ−２）は、セレクタ回路６００ａ−１（又は６００ａ−２）から多重信号６０１ａ−１（又は６０１ａ−２）を受信した場合に、その受信した多重信号６０１ａ−１（又は６０１ａ−２）を、無線フレームのペイロード領域に多重し、無線送信信号７０１ａ−１（又は７０１ａ−２）としてＥ１回線１（又は２）に出力する。
伝送装置４ｂの多重分離回路７００ｂ−１（又は７００ｂ−２）は、Ｅ１回線１（又は２）を介して無線送信信号７０１ａ−１（又は７０１ａ−２）を受信する。そして、多重分離回路７００ｂ−１（又は７００ｂ−２）は、その受信した無線送信信号７０１ａ−１（又は７０１ａ−２）の無線フレームのペイロード領域から、伝送装置４ａの多重分離回路７００ａ−１（又は７００ａ−２）で多重された多重信号６０１ａ−１（又は６０１ａ−２）を抽出する。そして、多重分離回路７００ｂ−１（又は７００ｂ−２）は、他の多重分離回路７００ｂ−２（又は７００ｂ−２）との間でＥ１フレームの同期を取った上で、上記抽出した多重信号６０１ａ−１（又は６０１ａ−２）を、分離信号７０２ｂ−１（又は７０２ｂ−２）としてセレクタ回路６００ｂ−１（又は６００ｂ−２）に出力する。
セレクタ回路６００ｂ−１（又は６００ｂ−２）は、ＬＡＮマッピング回路１００ｂからＬＡＮマッピング情報１０１ｂを受信した場合に、ＬＡＮ伝送路として使用するチャネルを特定する。そして、セレクタ回路６００ｂ−１（又は６００ｂ−２）は、上記特定したチャネルを基に、そのセレクタ回路６００ｂ−１（又は６００ｂ−２）を、ＬＡＮ伝送路として使用すると判断した場合は、多重分離回路７００ｂ−１（又は７００ｂ−２）から受信した分離信号７０２ｂ−１（又は７０２ｂ−２）を、ＬＡＮチャネル信号６０３ｂ−１（又は６０３ｂ−２）としてバッファ回路５００ｂ−１（又は５００ｂ−２）に出力する。また、セレクタ回路６００ｂ−１（又は６００ｂ−２）は、上記特定したチャネルを基に、そのセレクタ回路６００ｂ−１（又は６００ｂ−２）を、Ｅ１伝送路として使用すると判断した場合は、多重分離回路７００ｂ−１（又は７００ｂ−２）から受信した分離信号７０２ｂ−１（又は７０２ｂ−２）を、Ｅ１出力信号６０２ｂ−１（又は６０２ｂ−２）としてＥ１伝送機器１ｂに出力する。
バッファ回路５００ｂ−１（又は５００ｂ−２）は、Ｅ１フレーム構造を持つＬＡＮチャネル信号６０３ｂ−１（又は６０３ｂ−２）からペイロード領域のデータを抽出し、内部バッファに書き込む。
ＬＡＮパケット再生回路４００ｂは、ＬＡＮマッピング回路１００ｂから受信したマッピング情報１０１ｂを基に、ＬＡＮ伝送路として使用するチャネルを特定する。そして、ＬＡＮパケット再生回路４００ｂは、そのＬＡＮ伝送路として使用するチャネルの中からチャネル番号の小さいバッファ回路（例えば、５００ｂ−１及び５００ｂ−２）から順に、１ｂｙｔｅ単位でバッファ読出信号５０１ｂ−１及び５０１ｂ−２の読み出しを開始する。これにより、ＬＡＮパケット再生回路４００ｂは、ＬＡＮ伝送路として使用するチャネルの中からチャネル番号の小さい順に、バッファ回路５００ｂ−１及び５００ｂ−２からバッファ読出信号５０１ｂ−１及び５０１ｂ−２を１ｂｙｔｅ単位で読み出すことになる。そして、ＬＡＮパケット再生回路４００ｂは、バッファ回路５００ｂ−１及び５００ｂ−２から読み出したバッファ読出信号５０１ｂ−１及び５０１ｂ−２を基に、伝送装置４ａのＬＡＮパケット分割回路２００ａで分割されたＬＡＮ信号２１ａを再生し、ＬＡＮ再生信号４０１ｂとしてＬＡＮ伝送機器２ｂに出力する。
これにより、伝送装置４ａ及び４ｂは、Ｅ１回線１及び２の中から選択した複数のチャネルを用いて、ＬＡＮ信号２１ａ及び２１ｂを伝送することが可能となる。
＜Ｅ１フレームのフォーマット＞
次に、図２を参照しながら、ＩＴＵ−Ｔ  Ｇ．７０４で標準化されているＥ１フレームのフォーマット、及び、分割パケット２０１ａを多重するペイロード領域について説明する。
図２は、ＩＴＵ−Ｔ  Ｇ．７０４で標準化されているＥ１フレームのフォーマットを示しており、１フレームは、１Ｔｉｍｅ  Ｓｌｏｔを１ｂｙｔｅ（＝８ｂｉｔｓ）として３２個のＴｉｍｅ  Ｓｌｏｔ（ＴＳ０〜ＴＳ３１）で構成されている。
また、８フレームが１サブマルチフレームを、２サブマルチフレームが１マルチフレームを構成しており、１６フレームが１マルチフレームを構成する。図２のＴＳ０には、同期確立やＣＲＣ（Ｃｙｃｌｉｃ  Ｒｅｄｕｎｄａｎｃｙ  Ｃｈｅｃｋ）演算に使用するＦＡＳ（Ｆｒａｍｅ  Ａｌｉｇｎｍｅｎｔ  Ｓｉｇｎａｌ）ビットやＣＲＣチェックビット等が含まれる。ＴＳ０を除く他の領域が、分割パケット２０１ａを多重するペイロード領域となる。
＜ＬＡＮ信号（ＬＡＮパケット）の分割方法＞
次に、図３を参照しながら、ＬＡＮ信号（ＬＡＮパケット）の分割方法について説明する。図３は、伝送装置４ａが、ＬＡＮ伝送機器２ａから受信したＬＡＮ信号２１ａを分割し、分割パケット２０１ａを生成し、その分割パケット２０１ａを、複数チャネルのＥ１フレームに多重するまでの流れを示したものである。なお、図１ではＥ１回線が２本であるが、図３では、Ｅ１回線が７本以上存在するものとする。そして、以下では、これらＥ１回線のうち、チャネル１、チャネル３、チャネル７をＬＡＮ信号２１ａの伝送路として設定した場合について説明する。
ステップＳ１１は、伝送装置４ａがＬＡＮ伝送機器２ａから受信するＬＡＮ信号（ＬＡＮパケット）２１ａを示している。なお、ＬＡＮ信号２１ａは、ＩＥＥＥ  Ｇ８０２．３で標準化されている信号である。
ステップＳ１２、ステップＳ１３は、図１のＬＡＮパケット分割回路２００ａが実施する制御である。ステップＳ１２では、ステップＳ１１で示したＬＡＮ信号２１ａが、１ｂｙｔｅ単位で分割され、分割パケット２０１ａが生成される。ステップＳ１３では、図１に示すＬＡＮマッピング情報１０１ａを基に、ＬＡＮ伝送路として使用するチャネルを特定し、Ｓ１２で生成した分割パケット２０１ａを、チャネル番号の小さいチャネル１、チャネル３、チャネル７の順に振り分ける。
ステップＳ１４は、Ｅ１フレーム化回路３００ａが実施する制御である。ステップＳ１４では、ステップＳ１３で各チャネルに振り分けた分割パケット２０１ａが、Ｅ１フレームのペイロード領域に多重される。
以上の図３に示すＳ１１〜Ｓ１４の動作により、伝送装置４ａは、ＬＡＮ伝送機器２ａから受信するＬＡＮ信号２１ａを、複数のＥ１フレームとしてＥ１回線（ここでは、チャネル１，３及び７）に送信することができる。同様に、伝送装置４ｂは、ＬＡＮ伝送機器２ｂから受信するＬＡＮ信号２１ｂを、複数のＥ１フレームとしてＥ１回線に送信することができる。
＜分割パケットの再生方法＞
次に、図４を参照しながら、分割パケットの再生方法について説明する。図４は、Ｅ１フレームのＴＳ０を除くペイロード領域から、データを抽出し、ＬＡＮ信号を再生するまでの流れを示したものである。なお、図４では、図３と同様に、Ｅ１回線のチャネル１、チャネル３、チャネル７をＬＡＮ信号の伝送路として設定した場合について説明する。
ステップＳ２１は、図１の多重分離回路７００ａが実施する制御である。ステップＳ２１は、無線フレームから分離したＥ１フレームを示すものである。ステップＳ２２は、図１のバッファ回路５００ａが実施する制御である。ステップＳ２２では、ステップＳ２１で分離したＥ１フレームからＴＳ０を除くペイロード領域のデータを抽出し、その抽出したデータを、チャネル１、チャネル３、チャネル７に設けたバッファ回路５００ａにそれぞれ書き込む様子を示している。
ステップＳ２３は、図１のＬＡＮパケット再生回路４００ａが実施する制御である。ステップＳ２３は、チャネル１、チャネル３、チャネル７のバッファ回路５００ａに蓄積したデータを、対応するチャネル番号の小さいバッファ回路５００ａから順に、１ｂｙｔｅ単位で読み出す様子を示したものである。なお、１ｂｙｔｅ単位で読み出したデータを並べたものが分割前のＬＡＮ信号２１ｂとなる。
以上の図４に示すＳ２１〜Ｓ２４の動作により、伝送装置４ａは、Ｅ１回線（ここでは、チャネル１，３及び７）を介して受信したＥ１フレームから分割前のＬＡＮ信号２１ｂを再生することができる。同様に、伝送装置４ｂは、Ｅ１回線を介して受信したＥ１フレームから分割前のＬＡＮ信号２１ａを再生することができる。
以上の説明から明らかなように、本発明は、一対の伝送装置の間に構築されたｍ（ｍ：自然数）本のＥ１回線の中から任意のｎ（ｎ：自然数、ｎ≦ｍ）本を選択して、ＬＡＮパケットを送信することができる。
＜本実施形態における作用・効果＞
このように、本実施形態における伝送システムでは、まず、第１の伝送装置４ａは、ＬＡＮ信号（ＬＡＮパケット）２１ａの伝送路として使用するｎ本のチャネルを特定する。そして、第１の伝送装置４ａは、ＬＡＮ伝送機器２ａから受信したＬＡＮ信号（ＬＡＮパケット）２１ａを、１ｂｙｔｅ単位で分割し、分割パケット２０１ａを生成する。そして、第１の伝送装置４ａは、上記生成した分割パケット２０１ａを、上記特定したｎ本のチャネルで伝送するＥ１フレームのペイロード領域に多重し、Ｅ１フレームのパケット３０１ａを生成する。そして、第１の伝送装置４ａは、そのＥ１フレームのパケット３０１ａを、Ｅ１回線１及び２に送信する。
第２の伝送装置４ｂは、Ｅ１回線１及び２から受信したＥ１フレームのパケット３０１ａを基に、そのＥ１フレーム３０１ａのペイロード領域から、分割パケット２０１ａを抽出し、該抽出した分割パケット２０１ａを、チャネル毎にバッファ回路に格納する。そして、第２の伝送装置４ｂは、ＬＡＮ信号（ＬＡＮパケット）２１ｂの伝送路として使用するｎ本のチャネルを特定し、その特定したｎ本のチャネルに該当する分割パケット２０１ａをバッファ回路から読み出し、第１の伝送装置４ａで分割されたＬＡＮ信号２１ａを再生する。
これにより、本実施形態の伝送システムは、複数のＥ１回線を構築している伝送装置４ａ及び４ｂを用いて、無線フレーム構造や無線伝送方式を変更せずに、既存のＥ１回線を使用してＬＡＮ信号（ＬＡＮパケット）を伝送することが可能になる。従って、Ｅ１信号の伝送に対応可能な既存の伝送装置に、ＬＡＮパケットの伝送機能を容易に追加することが可能となり、ＬＡＮパケットの伝送機能を、少ないコストで導入することが可能となる。
また、本実施形態の伝送システムでは、Ｅ１フレームを構成する３２個のＴｉｍｅ  Ｓｌｏｔのうち、ペイロード領域として３１個のＴｉｍｅ  Ｓｌｏｔを使用する。このため、複数のＥ１回線の各々が持つスループットは、２．０４８Ｍｂｐｓ（Ｅ１信号の伝送速度）×（３１／３２）＝１．９８４Ｍｂｐｓとなり、１．９８４Ｍｂｐｓ単位でのＬＡＮスループットを設定することができる。これにより、本実施形態の伝送システムは、ＬＡＮパケット伝送に必要なスループットに応じて、Ｅ１フレーム／ＬＡＮパケット伝送の混在比率をフレキシブルに設定することが可能となる。
（第２の実施形態）
次に、第２の実施形態について説明する。
第２の実施形態における伝送システムは、Ｅ１フレームを伝送する無線回線として使用していない無線回線を、ＬＡＮパケットを伝送する無線回線として設定することを特徴とする。これにより、Ｅ１フレームを伝送する無線回線として使用していない空き無線回線を、ＬＡＮパケットを伝送する無線回線として利用することが可能となり、無線回線の有効活用を図ることが可能となる。以下、図１を参照しながら、本実施形態の伝送システムについて詳細に説明する。
第１の実施形態における伝送装置４ａのＬＡＮマッピング回路１００ａは、制御端末機３ａからの無線回線設定信号３１ａを基に、ＬＡＮ信号２１ａの伝送路として使用するチャネルを判別し、ＬＡＮ信号を多重する。これに対し、第２の実施形態における伝送装置４ａのＬＡＮマッピング回路１００ａは、各チャネルの使用状況を監視し、空きチャネルと判別したチャネルを、ＬＡＮ信号２１ａの伝送路として使用し、ＬＡＮ信号を多重するように、ＬＡＮマッピング情報１０１ａを生成する。
また、ＬＡＮマッピング回路１００ａは、各チャネルのＥ１フレームのインプット及びＥ１フレームのロスを検出し、その検出結果を基に、空きチャネルと判別したチャネルを、ＬＡＮ信号２１ａの伝送路として使用し、ＬＡＮ信号を多重するようにＬＡＮマッピング情報１０１ａを生成するようにしてもよい。
このように、第２の実施形態における伝送システムは、空きチャネルと判別したチャネルを、ＬＡＮ信号２１ａの伝送路として使用し、無線回線の有効活用を図ることが可能となる。
（第３の実施形態）
次に、第３の実施形態について説明する。
上述した第１及び第２の実施形態の伝送システムでは、図１に示すように、第１の伝送装置４ａと第２の伝送装置４ｂとが、Ｅ１回線１及び２を介して、Ｅ１フレームとＬＡＮパケットとを伝送する。これに対し、第３の実施形態の伝送システムでは、図５に示すように、第１の伝送装置４ａと、第２の伝送装置４ｂと、の間に、中継装置４ｃと、中継装置４ｄ及び４ｅとが配置される。そして、各装置間には、複数のＥ１回線（Ｅ１ネットワーク）が構築される。本実施の形態の伝送システムは、各装置間で、Ｅ１フレームと、ＬＡＮパケットと、を伝送することを特徴とする。このように、各装置間でＥ１回線（Ｅ１ネットワーク）を構築していれば、本実施の形態に係る伝送システムにおいても、図１に示す伝送システムと同様に、各装置間で、Ｅ１フレームと、ＬＡＮパケットと、を伝送することが可能となる。
なお、各中継装置４ｃ、４ｄ又は４ｅは、一対の伝送装置の組み合わせとして構成してもよい。即ち、各中継装置４ｃ、４ｄ又は４ｅは、伝送装置４ａ又は４ｂと同一の構成（設定手段及び伝送手段）を２組有する構成とすることができる。
以上本発明について、いくつかの実施の形態に即して説明したが、上述する実施形態は、本発明の好適な実施形態であり、上記実施形態のみに本発明の範囲を限定するものではなく、本発明の要旨を逸脱しない範囲において当業者が上記実施形態の修正や代用を行い、種々の変更を施した形態を構築することが可能である。
例えば、上述した実施形態では、Ｅ１信号を例に説明したが、本発明の伝送システムは、ＩＴＵ−Ｔ  Ｇ．７０４で標準化されているＴ１信号など、一定のフレーム構造を持つ伝送規格全てに適用することが可能である。
また、上述した本実施形態における伝送システムを構成する各装置における制御動作は、ハードウェア、または、ソフトウェア、あるいは、両者の複合構成を用いて実行することも可能である。
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
例えば、プログラムは、記録媒体としてのハードディスクやＲＯＭ（Ｒｅａｄ  Ｏｎｌｙ  Ｍｅｍｏｒｙ）に予め記録しておくことが可能である。あるいは、プログラムは、リムーバブル記録媒体に、一時的、あるいは、永続的に格納（記録）しておくことが可能である。このようなリムーバブル記録媒体は、いわゆるパッケージソフトウエアとして提供することが可能である。なお、リムーバブル記録媒体としては、フロッピー（登録商標）ディスク、ＣＤＲＯＭ（Ｃｏｍｐａｃｔ  Ｄｉｓｃ  Ｒｅａｄ  Ｏｎｌｙ  Ｍｅｍｏｒｙ）、ＭＯ（Ｍａｇｎｅｔｏ  ｏｐｔｉｃａｌ）ディスク、ＤＶＤ（Ｄｉｇｉｔａｌ  Ｖｅｒｓａｔｉｌｅ  Ｄｉｓｃ）、磁気ディスク、半導体メモリなどが挙げられる。
なお、プログラムは、上述したようなリムーバブル記録媒体からコンピュータにインストールすることになる。また、ダウンロードサイトから、コンピュータに無線転送することになる。また、ネットワークを介して、コンピュータに有線で転送することになる。
また、本実施形態における伝送システムは、上記実施形態で説明した処理動作に従って時系列的に実行されるのみならず、処理を実行する装置の処理能力、あるいは、必要に応じて並列的にあるいは個別に実行するように構築することも可能である。
また、本実施形態における伝送システムは、複数の装置の論理的集合構成にしたり、各構成の装置が同一筐体内に存在する構成にしたりするように構築することも可能である。
【産業上の利用可能性】
【０００６】
本発明にかかる伝送装置、伝送システム、伝送方法及び伝送プログラムは、特定のフレーム構造を持つフレームと、パケットと、を、複数の無線回線を使用して伝送することが可能な伝送システムに適用可能である。
この出願は、２００７年９月２６日に出願された日本出願特願２００７−１４９７０８号を基礎とする優先権を主張し、その開示の全てをここに取り込む。
【図１】
2009041372.tif 000003
【図２】
2009041372.tif 000004
【図３】
2009041372.tif 000005
【図４】
2009041372.tif 000006
【図５】
2009041372.tif 000007
【図６】
2009041372.tif 000008
【国際調査報告】
2009041372.tif 000009
2009041372.tif 000010
2009041372.tif 000011
2009041372.tif 000012